(57)【要約】【課題】  光スイッチモジュールにおける動的クロストークおよびイントラクロストークの影響を考慮し、光パス間のクロストークによる信号品質劣化を低減する。【解決手段】  複数ｍ本の波長多重光伝送路から入力する波長多重光信号（波長λ１〜λｎ）をそれぞれ各波長の光信号に分波して各入力ポートに入力し、クロスコネクト接続により各出力ポートから出力される各波長の光信号を複数ｍ本の波長多重光伝送路に対応してそれぞれ合波し、波長多重光信号として各波長多重光伝送路に出力する光クロスコネクト装置において、光スイッチモジュールの入出力ポートを各波長多重光伝送路ごとにｍ個の領域に分割し、そのｍ個の領域で各波長に対応する入出力ポートが、同一波長間で少なくとも隣接しない所定の間隔が確保されるように規則性をもって配置する。【選択図】        図１
2008042244.tif 000002
【特許請求の範囲】
【請求項１】
複数ｍ×ｎの入力ポートおよび複数ｍ×ｎの出力ポートを有する光スイッチモジュールを備え、複数ｍ本の波長多重光伝送路から入力する波長多重光信号（波長λ１〜λｎ：ｎは２以上の整数）をそれぞれ各波長の光信号に分波して各入力ポートに入力し、クロスコネクト接続により各出力ポートから出力される各波長の光信号を複数ｍ本の波長多重光伝送路に対応してそれぞれ合波し、波長多重光信号（波長λ１〜λｎ）として各波長多重光伝送路に出力する光クロスコネクト装置において、
前記光スイッチモジュールの入出力ポートを各波長多重光伝送路ごとにｍ個の領域に分割し、そのｍ個の領域で各波長に対応する入出力ポートが、同一波長間で少なくとも隣接しない所定の間隔が確保されるように規則性をもって配置される構成である
ことを特徴とする光クロスコネクト装置。
【請求項２】
複数ｍ×ｎの入力ポートおよび複数ｍ×ｎの出力ポートを有する光スイッチモジュールを備え、複数ｍ本の波長多重光伝送路から入力する波長多重光信号（波長λ１〜λｎ：ｎは２以上の整数）をそれぞれ各波長の光信号に分波して各入力ポートに入力し、クロスコネクト接続により各出力ポートから出力される各波長の光信号を複数ｍ本の波長多重光伝送路に対応してそれぞれ合波し、波長多重光信号（波長λ１〜λｎ）として各波長多重光伝送路に出力する光クロスコネクト装置において、
前記光スイッチモジュールの入出力ポートを各波長多重光伝送路ごとにｍ個の領域に分割し、そのｍ個の領域でそれぞれ波長λ１〜λｎに対応する入力ポートが、同一波長間で所定の間隔が確保されるように規則性をもって配置される構成であり、
前記光スイッチモジュールの出力ポートに波長変換を行う波長変換器が接続され、各波長多重光伝送路に対応する領域のｎ個の出力ポートに同一波長がクロスコネクトされる場合に、その同一波長の出力ポートに少なくとも隣接しない所定の間隔が確保されるようにクロスコネクト制御を行う構成である
ことを特徴とする光クロスコネクト装置。
【請求項３】
請求項１または請求項２に記載の光クロスコネクト装置において、
前記同一波長に対応する入力ポートの間隔および出力ポートの間隔が波長ごとに均一になるように配置される構成である
ことを特徴とする光クロスコネクト装置。
【請求項４】
請求項１または請求項２に記載の光クロスコネクト装置において、
前記光スイッチモジュールは、入力ポートから入力した光ビームをミラーで反射させ、ミラーの角度制御により任意の出力ポートに出力する構成であり、
前記ミラーは、ＭＥＭＳ技術により基板上に形成された複数の微小ミラーによって形成される反射角度可変のミラーアレイの微小ミラーであり、微小ミラーへの電圧印加によりその反射角度を変化させる構成である
ことを特徴とする光クロスコネクト装置。
【請求項５】
複数ｍ×ｎの入力ポートおよび複数ｍ×ｎの出力ポートを有する光スイッチモジュールを備え、複数ｍ本の波長多重光伝送路から入力する波長多重光信号（波長λ１〜λｎ：ｎは２以上の整数）をそれぞれ各波長の光信号に分波して各入力ポートに入力し、クロスコネクト接続により各出力ポートから出力される各波長の光信号を複数ｍ本の波長多重光伝送路に対応してそれぞれ合波し、波長多重光信号（波長λ１〜λｎ）として各波長多重光伝送路に出力する光クロスコネクト制御方法において、
前記光スイッチモジュールの入出力ポートを各波長多重光伝送路ごとにｍ個の領域に分割し、そのｍ個の領域でそれぞれ波長λ１〜λｎに対応する入力ポートが、同一波長間で少なくとも隣接しない所定の間隔が確保されるように規則性をもって配置され、
前記光スイッチモジュールの出力ポートに波長変換を行う波長変換器が接続され、各波長多重光伝送路に対応する領域のｎ個の出力ポートに同一波長がクロスコネクトされる場合に、その同一波長の出力ポートに少なくとも隣接しない所定の間隔が確保されるようにクロスコネクト制御を行う
ことを特徴とする光クロスコネクト制御方法。
【発明の詳細な説明】
【技術分野】
【０００１】
本発明は、複数の光信号の経路を切り替える光クロスコネクト装置および光クロスコネクト制御方法に関する。
【背景技術】
【０００２】
一般に、光ネットワークシステムでは、複数の光信号の経路を切り替えるために光クロスコネクト装置が用いられる。光クロスコネクト装置は、複数の光信号入力部と光信号出力部との間に配置されるスイッチ部において、任意の入力線と出力線を一意に接続し、また要求に応じて接続組み合わせの変更を可能とする構成である（特許文献１）。このような光クロスコネクト装置に用いられるスイッチ部には、構成の簡易さ、コストおよび信頼性の観点から、光信号を電気信号に変換せずに光信号のまま切り替えを行う光スイッチが用いられることが多い。
【０００３】
図４は、波長多重光伝送システムに用いられる光クロスコネクト装置の構成例を示す。図４において、波長多重光伝送路１〜ｍ（ｍは２以上の整数）からそれぞれ波長多重光信号Ｓ１〜Ｓｍが入力され、波長分波器１０１−１〜１０１−ｍでそれぞれ波長λ１〜λｎ（ｎは２以上の整数）の光信号に分波して光スイッチモジュール１００の各入力ポートに入力される。光スイッチモジュール１００は、スイッチ制御回路（図示せず）の制御によりｎ×ｍ本の光信号をクロスコネクトし、波長λ１〜λｎごとにｍ組の各出力ポートに出力する。光スイッチモジュール１００の出力ポートから出力される波長λ１〜λｎごとにｍ組の光信号は、出力側の波長多重光伝送路１〜ｍにそれぞれ対応する波長合波器１０２−１〜１０２−ｍで合波され、各波長多重光伝送路１〜ｍにそれぞれ波長多重光信号Ｓ１〜Ｓｍとして出力される。
【０００４】
ここで、波長合波器１０２で波長多重する場合には、各光信号の波長が互いに異なっている必要があるが、一般に各波長多重光伝送路の波長多重光信号に用いられる波長は、それぞれλ１〜λｎというように同じ場合が多い。そのため、各波長合波器１０２に対応する光スイッチモジュール１００のｎ個の出力ポートには同じ波長の光信号がクロスコネクトされる場合もある。このような場合には、図５に示すように、各波長合波器１０２に対応する光スイッチモジュール１００のｎ個の出力ポートの一部または全部に波長変換器１０３を備え、波長競合が起こった場合にはどちらかの波長を変換してから波長合波器１０２に入力し、波長多重する構成がある。なお、波長変換器１０３を入力ポート側に挿入する構成もある。
【０００５】
図６は、光スイッチモジュール１００の第１の構成例を示す。図６において、光スイッチモジュール１００は、複数（図４の例ではｎ×ｍ本）の光ファイバを２次元に配置した入力光ファイバアレイ３ａと出力光ファイバアレイ３ｂを対向させた構成である。入力光ファイバアレイ３ａの各光ファイバの角度と出力光ファイバアレイ３ｂの各光ファイバの角度を機械的可変機構によって変化させ、接続すべき光ファイバ間で双方の角度を光結合損失が小さくなるように調整して光ビームを空間伝搬させる。
【０００６】
図７は、光スイッチモジュール１００の第２の構成例を示す。図７において、光スイッチモジュール１００は、複数（図４の例ではｎ×ｍ個）のコリメータを２次元に配置したコリメータアレイ１ａ，１ｂと、複数（同ｎ×ｍ個）のミラーを２次元に配置したＭＥＭＳ（Micro Electric Mechanical System) ミラーアレイ２を組み合わせた構成である。なお、入力ポート群を形成するコリメータアレイ１ａには、各コリメータに対応させて複数（同ｎ×ｍ本）の光ファイバを２次元に配置した入力光ファイバアレイが接続される。出力ポート群を形成するコリメータアレイ１ｂには、各コリメータに対応させて複数（同ｎ×ｍ本）の光ファイバを２次元に配置した出力光ファイバアレイが接続される。
【０００７】
ＭＥＭＳミラーアレイ２の各ミラーはＭＥＭＳ技術によりその角度が制御され、各ミラーの反射角度によって任意の入出力ポート間の接続（光パスの切り替え）が可能になっている。図７の例は、入力ポート１０に対向するＭＥＭＳミラーアレイ２のミラー２１の角度制御により、光パスを出力ポート１１から出力ポート１２に切り替える状況を示している。
【０００８】
図８は、光スイッチモジュール１００の第３の構成例を示す。図８において、光スイッチモジュール１００は、複数（図４の例ではｎ×ｍ個）のコリメータを２次元に配置したコリメータアレイ１ａ，１ｂと、複数（同ｎ×ｍ個）のミラーを２次元に配置したＭＥＭＳミラーアレイ２ａ，２ｂを組み合わせた構成である。入力ポート群を形成するコリメータアレイ１ａには、各コリメータに対応させて複数（同ｎ×ｍ本）の光ファイバを２次元に配置した入力光ファイバアレイが接続される。出力ポート群を形成するコリメータアレイ１ｂには、各コリメータに対応させて複数（同ｎ×ｍ本）の光ファイバを２次元に配置した出力光ファイバアレイが接続される。
【０００９】
ＭＥＭＳミラーアレイ２ａ，２ｂの各ミラーはＭＥＭＳ技術によりその角度が制御され、反射させる各ミラーの組み合わせによって任意の入出力ポート間の接続（光パスの切り替え）が可能になっている。図８(1) の例は、入力ポートに対向するＭＥＭＳミラーアレイ２ａのミラーａ１を角度制御し、ＭＥＭＳミラーアレイ２ｂで反射させるミラーをミラーｂ１からミラーｂ２に切り替えることにより、光パスを出力ポート１１から出力ポート１２に切り替える状況を示している。なお、本構成例は、２つのＭＥＭＳミラーアレイ２ａ，２ｂを用い、ＭＥＭＳミラーアレイ２ｂのミラーｂ１と出力ポート１１が対向し、ミラーｂ２と出力ポート１２が対向するので、入力ポートおよび出力ポートに対する光ビームの入射角を０にできる点が第１の構成例および第２の構成例に対するメリットである。
【００１０】
同様に、図８(2) に示すように、光パスを出力ポート１１から出力ポート１３に切り替えることも可能であるが、この場合にＭＥＭＳミラーアレイ２ｂの端面の光ビームの軌跡がミラーｂ１からミラーｂ２を通過してミラーｂ３に移動すると、ミラーｂ１，ｂ３とは独立に角度制御されているミラーｂ２で反射した光ビームが出力ポート１２や他の出力ポート１４などにクロストークとなることがある。このように、隣接しない出力ポートに切り替える場合（例えば１１から１３）には、他の出力ポートに対するクロストークに注意する必要がある。
【００１１】
なお、図では光ビームを線として表しているが、光ビームは所定の広がり（例えばガウス分布）をもっており、例えばミラーｂ２で反射した光ビームの中心部は出力ポート１４に結合しても、光ビームの中心部から離れた裾野部分が出力ポート１２に結合する状況が考えられる。この場合、ミラーｂ２から出力ポート１２に結合する光量は小さくても、入射角が０であるので大きなクロストークとなる。したがって、光パス切り替えによる光ビームの軌跡がミラーｂ１からミラーｂ３に移動する際に、それに隣接するミラーｂ２を通過しない方が好ましい。
【００１２】
一般に、空間光学系によって構成された図６〜図８に示す光スイッチモジュールでは、入出力ポート間のクロストークが非常に低い値とされているが、これは光パス切り替え時を除いた静的クロストークを意味している。上記のように、光パス切り替え時に光ビームが他の出力ポートに出力される現象（図８(2) のミラーｂ２で反射した光ビームが出力ポート１４や出力ポート１２に結合）は動的クロストークと呼ばれ、時間的には光パス切り替え時の一瞬であっても静的クロストークに比べて非常に大きな値を示し、光信号品質の劣化を招く要因になっていた（非特許文献１）。
【００１３】
図９は、光スイッチモジュールのクロストーク特性の測定結果を示す。10ｍｓ以上の経過後には−60ｄＢ以上の静的クロストークレベルになっているが、動的クロストークにより瞬間的には−40ｄＢ程度の最大クロストークが生ずることがわかる。
【特許文献１】特開平０６−２９２２４６号公報
【非特許文献１】Electronics Letters, Vol.39, No.8, pp.678-679, 2003
【発明の開示】
【発明が解決しようとする課題】
【００１４】
ところで、光スイッチモジュールにおけるクロストークには、被クロストーク信号とクロストーク信号の波長が同じであるイントラクロストークと、互いの波長が異なるインタークロストークがある。イントラクロストークの場合には、クロストーク電力比をｘ、クロストーク信号数をＮとしたときに、光信号電力ペナルティは、
−10log(１−２Ｎ√ｘ）
で与えられる。一方、インタークロストークによる光信号電力ペナルティは、
−５log(１−２Ｎｘ）
で与えられる。
【００１５】
図１０は、クロストークと光信号電力ペナルティの関係を示す。イントラクロストークとインタークロストークについて、それぞれ雑音が信号電力に依存する場合（実線）と依存しない場合（破線）で示す。光信号電力ペナルティは、波長が同じである場合に生ずるイントラクロストークの影響が大きいことがわかる。
【００１６】
ここで、図４に示す光クロスコネクト装置の光スイッチモジュール１００の入力ポートにおいて、波長多重光伝送路１〜ｍから入力し波長分波器１０１−１〜１０１−ｍでそれぞれ分波される波長λ１〜λｎの光信号と、各入力ポートの波長の割り当ては一般に任意であり、スイッチ制御回路で入力する波長多重光伝送路１〜ｍと波長λ１〜λｎと入力ポートの対応がとれていればよい。したがって、光スイッチモジュール１００の入力ポートにおいて、例えば波長分波器１０１−１で分波される波長λ１の光信号の入力ポートと、波長分波器１０１−２で分波される波長λ１の光信号の入力ポートが隣接することがある。
【００１７】
同様に、出力側の波長多重光伝送路１〜ｍに対応する波長合波器１０２−１〜１０２−ｍでそれぞれ合波される波長λ１〜λｎの光信号と、各出力ポートの波長の割り当ても一般に任意であり、スイッチ制御回路で出力する波長多重光伝送路１〜ｍと波長λ１〜λｎと出力ポートの対応がとれていればよい。したがって、光スイッチモジュール１００の出力ポートにおいて、例えば波長分波器１０２−１で合波される波長λ１の光信号の出力ポートと、波長合波器１０２−２で合波される波長λ１の光信号の出力ポートが隣接することがある。
【００１８】
また、図５に示す波長変換器１０３を有する光クロスコネクト装置でも、光スイッチモジュール１００の入力ポートにおいて、同様に同一波長の光信号の入力ポートが隣接することがある。さらに、光スイッチモジュール１００の波長多重光伝送路１〜ｍに対応する各ｎ個の出力ポートには、同一波長の光信号がクロスコネクトされることがあり、それらの出力ポートが隣接することもある。
【００１９】
ここで、光スイッチモジュール１００の入力ポートおよび出力ポートにおいて、クロストーク電力はクロストークを与えるポートとクロストークを受けるポートの距離と入射角によって決定されるので、特に同一波長の光信号が隣接すると、イントラクロストークの影響を大きく受けるとともに、さらに動的クロストークの影響も大きくなる。
【００２０】
本発明は、光スイッチモジュールにおける動的クロストークおよびイントラクロストークの影響を考慮し、光パス間のクロストークによる信号品質劣化を低減することができる光クロスコネクト装置および光クロスコネクト制御方法を提供することを目的とする。
【課題を解決するための手段】
【００２１】
第１の発明は、複数ｍ×ｎの入力ポートおよび複数ｍ×ｎの出力ポートを有する光スイッチモジュールを備え、複数ｍ本の波長多重光伝送路から入力する波長多重光信号（波長λ１〜λｎ：ｎは２以上の整数）をそれぞれ各波長の光信号に分波して各入力ポートに入力し、クロスコネクト接続により各出力ポートから出力される各波長の光信号を複数ｍ本の波長多重光伝送路に対応してそれぞれ合波し、波長多重光信号（波長λ１〜λｎ）として各波長多重光伝送路に出力する光クロスコネクト装置において、光スイッチモジュールの入出力ポートを各波長多重光伝送路ごとにｍ個の領域に分割し、そのｍ個の領域で各波長に対応する入出力ポートが、同一波長間で少なくとも隣接しない所定の間隔が確保されるように規則性をもって配置される構成である。
【００２２】
第２の発明は、複数ｍ×ｎの入力ポートおよび複数ｍ×ｎの出力ポートを有する光スイッチモジュールを備え、複数ｍ本の波長多重光伝送路から入力する波長多重光信号（波長λ１〜λｎ：ｎは２以上の整数）をそれぞれ各波長の光信号に分波して各入力ポートに入力し、クロスコネクト接続により各出力ポートから出力される各波長の光信号を複数ｍ本の波長多重光伝送路に対応してそれぞれ合波し、波長多重光信号（波長λ１〜λｎ）として各波長多重光伝送路に出力する光クロスコネクト装置において、光スイッチモジュールの入力ポートを各波長多重光伝送路ごとにｍ個の領域に分割し、そのｍ個の領域でそれぞれ波長λ１〜λｎに対応する入力ポートが、同一波長間で少なくとも隣接しない所定の間隔が確保されるように規則性をもって配置される構成であり、光スイッチモジュールの出力ポートに波長変換を行う波長変換器が接続され、各波長多重光伝送路に対応する領域のｎ個の出力ポートに同一波長がクロスコネクトされる場合に、その同一波長の出力ポートに少なくとも隣接しない所定の間隔が確保されるようにクロスコネクト制御を行う構成である。
【００２３】
ここで、同一波長に対応する入力ポートの間隔および出力ポートの間隔が波長ごとに均一になるように配置される構成としてもよい。
【００２４】
また、光スイッチモジュールは、入力ポートから入力した光ビームをミラーで反射させ、ミラーの角度制御により任意の出力ポートに出力する構成であり、ミラーは、ＭＥＭＳ技術により基板上に形成された複数の微小ミラーによって形成される反射角度可変のミラーアレイの微小ミラーであり、微小ミラーへの電圧印加によりその反射角度を変化させる構成としてもよい。
【００２５】
第３の発明は、複数ｍ×ｎの入力ポートおよび複数ｍ×ｎの出力ポートを有する光スイッチモジュールを備え、複数ｍ本の波長多重光伝送路から入力する波長多重光信号（波長λ１〜λｎ：ｎは２以上の整数）をそれぞれ各波長の光信号に分波して各入力ポートに入力し、クロスコネクト接続により各出力ポートから出力される各波長の光信号を複数ｍ本の波長多重光伝送路に対応してそれぞれ合波し、波長多重光信号（波長λ１〜λｎ）として各波長多重光伝送路に出力する光クロスコネクト制御方法において、光スイッチモジュールの入力ポートを各波長多重光伝送路ごとにｍ個の領域に分割し、そのｍ個の領域でそれぞれ波長λ１〜λｎに対応する入力ポートが、同一波長間で少なくとも隣接しない所定の間隔が確保されるように規則性をもって配置され、光スイッチモジュールの出力ポートに波長変換を行う波長変換器が接続され、各波長多重光伝送路に対応する領域のｎ個の出力ポートに同一波長がクロスコネクトされる場合に、その同一波長の出力ポートに少なくとも隣接しない所定の間隔が確保されるようにクロスコネクト制御を行う。
【発明の効果】
【００２６】
本発明は、光スイッチモジュールの入出力ポートにおいて、同一波長間で少なくとも隣接しない所定の間隔が確保されるので、同一波長の光信号同士のクロストーク、すなわちイントラクロストークが小さくなり、それに起因する光信号劣化を抑制することができる。また、同一波長が割り当てられる入力ポート間および出力ポート間に所定の間隔が設けられるので、隣接または極めて近接している場合に比べて動的クロストークの影響を緩和することができる。
【発明を実施するための最良の形態】
【００２７】
（第１の実施形態）
図１は、本発明の第１の実施形態における光スイッチモジュールの入出力ポートの波長割り当て例を示す。ここに示す例および以下に示す例は、図６に示す入力光ファイバアレイ３ａおよび出力光ファイバアレイ３ｂの断面、あるいは図７および図８に示すコリメータアレイ１ａ，１ｂに収容される入力光ファイバアレイおよび出力光ファイバアレイの断面に相当する。
【００２８】
ここでは、光クロスコネクト装置に接続される波長多重光伝送路の数ｍ（入力方路数、出力方路数）を４とし、それぞれ入出力する波長多重光信号の波長数ｎを64とする。このとき、光スイッチモジュールの入力ポート数および出力ポート数はそれぞれ 256となる。
【００２９】
本実施形態では、光スイッチモジュールの入出力ポートを各方路ごとに４つの領域（２×２）に分割し、各方路に対応する領域の中で波長λ１〜λ64に対応する入出力ポートが波長ごとに同一の位置になるように割り当てる。例えば方路１に対応する領域で、第１列にλ１〜λ８、第２列にλ９〜λ16、…、第８列にλ57〜λ64を順番に配列させた場合には、他の方路２，３，４においても同様に配列させる。これにより、各方路間の同一波長同士の光ビームは、正方形配置をとる光ファイバアレイの一辺の長さをＤとすると、すべての波長における同一波長間隔としてＤ／２以上を確保することができる。
【００３０】
ここで重要なことは、ランダムな波長割り当てを行った場合には、ある波長における間隔がＤ／２を超えるように配置すると、他の波長における間隔がＤ／２未満になり、クロストークの影響が波長に依存してばらつきが生じることになる。それに対して、本実施形態の構成では、同一波長間の間隔の最小値がＤ／２になるので、波長ごとのクロストークのばらつきがないことが大きな特徴である。
【００３１】
（第２の実施形態）
図２は、本発明の第２の実施形態における光スイッチモジュールの入出力ポートの波長割り当て例を示す。
【００３２】
ここでは、光クロスコネクト装置に接続される波長多重光伝送路の数ｍ（入力方路数、出力方路数）を８とし、それぞれ入出力する波長多重光信号の波長数ｎを32とする。このとき、光スイッチモジュールの入力ポート数および出力ポート数はそれぞれ 256となる。
【００３３】
本実施形態では、光スイッチモジュールの入出力ポートを各方路ごとに８つの領域（４×２）に分割し、各方路に対応する領域の中で波長λ１〜λ32に対応する入出力ポートが波長ごとに同一の位置になるように割り当てる。例えば方路１に対応する領域で、第１列にλ１〜λ４、第２列にλ５〜λ８、…、第８列にλ29〜λ32を順番に配列させた場合には、他の方路２〜８においても同様に配列させる。これにより、各方路間の同一波長同士の光ビームは、正方形配置をとる光ファイバアレイの一辺の長さをＤとすると、すべての波長における同一波長間隔として最低でもＤ／４を確保することができる。本実施形態においても、波長ごとのクロストークの影響にばらつきがない。
【００３４】
（第３の実施形態）
図３は、本発明の第３の実施形態における光スイッチモジュールの入出力ポートの波長割り当て例を示す。
【００３５】
ここでは、光クロスコネクト装置に接続される波長多重光伝送路の数ｍ（入力方路数、出力方路数）を５とし、それぞれ入出力する波長多重光信号の波長数ｎを54とする。このとき、光スイッチモジュールの入力ポート数および出力ポート数はそれぞれ 270となる。
【００３６】
本実施形態では、光スイッチモジュールの入出力ポートを各方路ごとに５つの領域に分割する。なお、方路１〜３に対応する領域は６×９、方路４〜５に対応する領域は９×６とする。方路１〜３に対応する領域の中で波長λ１〜λ54に対応する入出力ポートが波長ごとに同一の位置になるように割り当てる。例えば方路１に対応する領域で、第１列にλ１〜λ６、第２列にλ７〜λ12、…、第９列にλ49〜λ54を順番に配列させた場合には、他の方路２，３においても同様に配列させる。また、方路４，５に対応する領域の中で波長λ１〜λ54に対応する入出力ポートが波長ごとに同一の位置になるように割り当てる。例えば方路４に対応する領域で、第１列にλ１〜λ９、第２列にλ10〜λ18、…、第６列にλ46〜λ54を順番に配列させた場合には、他の方路５においても同様に配列させる。これにより、各方路間の同一波長同士の光ビームは、正方形配置をとる光ファイバアレイの一辺の長さをＤとすると、方路１〜２間、方路２〜３間の同一波長間隔が方路１〜４間などに比べて狭くなるが、すべての波長における同一波長間隔としてＤ／３以上を確保することができる。
【００３７】
本例は、図１の例に対して、すべての波長における同一波長間隔が同一条件にはならないが、方路１〜５における同一波長間隔の最小値がＤ／３として確保されている。すなわち、本実施形態の構成は波長によるばらつきはゼロではないが、ランダム配置に比べて最小の同一波長間隔が確保されることによってばらつきが小さくなっている。
【００３８】
（第４の実施形態）
第１の実施形態〜第３の実施形態は、図４に示す光クロスコネクト装置を想定し、光スイッチモジュール１００の波長多重光伝送路１〜ｍに対応する各ｎ個の出力ポートにクロスコネクトされる波長はλ１〜λｎですべて異なる場合に対応している。
【００３９】
一方、図５に示す光クロスコネクト装置は、入力ポート側は第１〜第３の実施形態と同様であるが、出力ポート側で波長変換を可能にしているので、光スイッチモジュール１００の波長多重光伝送路１〜ｍに対応する各ｎ個の出力ポート内で、出力ポートと波長の関係は一意ではなく、また出力される波長が同一になる場合がある。この場合には、その同一波長の出力ポートに少なくとも隣接しない所定の間隔が確保されるようにクロスコネクト制御を行うようにする。図５に示す例では、波長多重光伝送路１に対応するｎ個の出力ポートに波長λ２の光信号が２つ出力され、波長多重光伝送路２に対応するｎ個の出力ポートに波長λ２の光信号が１つ出力されているが、これらの出力ポートが隣接しないように制御するようにすればよい。
【図面の簡単な説明】
【００４０】
【図１】第１の実施形態における光スイッチモジュールの入出力ポートの波長割り当て例を示す図。
【図２】第２の実施形態における光スイッチモジュールの入出力ポートの波長割り当て例を示す図。
【図３】第３の実施形態における光スイッチモジュールの入出力ポートの波長割り当て例を示す図。
【図４】波長多重光伝送システムに用いられる光クロスコネクト装置の構成例を示す図。
【図５】波長多重光伝送システムに用いられる光クロスコネクト装置の構成例を示す図。
【図６】光スイッチモジュール１００の第１の構成例を示す図。
【図７】光スイッチモジュール１００の第２の構成例を示す図。
【図８】光スイッチモジュール１００の第３の構成例を示す図。
【図９】光スイッチモジュールのクロストーク特性の測定結果を示す図。
【図１０】クロストークと光信号電力ペナルティの関係を示す図。
【符号の説明】
【００４１】
１〜ｍ  波長多重光伝送路
１ａ，１ｂ  コリメータアレイ
２，２ａ，２ｂ  ＭＥＭＳミラーアレイ
３ａ  入力光ファイバアレイ
３ｂ  光光ファイバアレイ
１０  入力ポート
１１〜１４  出力ポート
１００  光スイッチモジュール
１０１  波長分波器
１０２  波長合波器
１０３  波長変換器
【図１】
2008042244.tif 000003
【図２】
2008042244.tif 000004
【図３】
2008042244.tif 000005
【図４】
2008042244.tif 000006
【図５】
2008042244.tif 000007
【図６】
2008042244.tif 000008
【図７】
2008042244.tif 000009
【図８】
2008042244.tif 000010
【図９】
2008042244.tif 000011
【図１０】
2008042244.tif 000012